(57)【要約】本発明は、暖房装置およびこの装置を作動させるための方法に関し、第一のおよび第二の暖房器（１、２）および共通の制御ユニット（３）を含み、その際第一のおよび第二の暖房器（１、２）は同じ流体燃料で動作可能であり、制御ユニット（３）を使用して制御可能に形成される。本発明に従い、少なくとも１つの、時間に基づく制御ユニット（３）の手順パラメーターが、第一のおよび／または第二の暖房器（１、２）の燃料消費値を特定するための計算根拠として備えられまたは使用されることが企図される。【選択図】図１
2013511018.tif 000002
【特許請求の範囲】
【請求項１】
第一のおよび第二の暖房器（１、２）および共通の制御ユニット（３）を含む暖房装置であって、その際前記第一のおよび第二の暖房器（１、２）が同じ流体燃料によって動作可能であり、前記制御ユニット（３）を使用して制御可能に形成される暖房装置において、少なくとも１つの、前記制御ユニット（３）の時間に基づく手順パラメーターが、前記第一のおよび／または第二の暖房器（１、２）の燃料消費値を特定するための計算根拠として備えられている暖房器。
【請求項２】
前記２つの暖房器のうちの１つ（１）が、ＣＨＰ暖房器として、特にスターリングエンジンとして、発熱および発電のために形成されることを特徴とする、請求項１に記載の暖房装置。
【請求項３】
前記２つの暖房器のうちの１つ（２）が、暖房ボイラーとして発熱のために形成されることを特徴とする、請求項１または２に記載の暖房装置。
【請求項４】
第一のおよび第二の暖房器（１、２）および共通の制御ユニット（３）を含む、暖房装置を作動するための方法であって、その際前記第一のおよび第二の暖房器（１、２）が同じ流体燃料で作動され、前記制御ユニット（３）を使用して制御される方法において、少なくとも１つの、前記制御ユニット（３）の時間に基づく手順パラメーターが、前記第一のおよび／または第二の暖房器（１、２）の燃料消費値を特定するための計算根拠として使用される方法。
【請求項５】
前記手順パラメーターが時間の経過で積分され、およびここから、燃料消費値の所定の相関関係を使用して特定されることを特徴とする、請求項４に記載の方法。
【請求項６】
手順パラメーターとして、ＣＨＰ暖房器として形成される暖房器（１）の１つが発生させる電力が使用されることを特徴とする、請求項４または５に記載の方法。
【請求項７】
手順パラメーターとして、２つの暖房器（１、２）のうちの１つに配置されているバーナーブロワの回転数が使用されることを特徴とする、請求項４〜６のうちのいずれか一項に記載の方法。
【請求項８】
手順パラメーターとして、２つの暖房器（１、２）のうちの１つで測定される温度が使用されることを特徴とする、請求項４〜７のうちのいずれか一項に記載の方法。
【発明の詳細な説明】
【技術分野】
【０００１】
本発明は、請求項１の前段に従った暖房装置、および請求項４の前段に従ったその装置を運転する方法に関する。
【背景技術】
【０００２】
第一のおよび第二の暖房器および共通の制御ユニットを備えた暖房装置は、第一のおよび第二の暖房器が同じ流体燃料（特にオイルまたはガス）で動作可能であり、制御ユニットを使用して制御可能に形成されており、一般に公知であり、その結果これに関しては特別に印刷物によって証明する必要はない。
【０００３】
そのような暖房装置は、一般に１つの（ただ１つの）接続部を介して燃料源（ガスまたはオイル網接続）と接続されている。この接続部にはしばしばガスメーターまたはオイルメーターが取り付けられ、その結果暖房装置の全体の消費量が特定できる。
【先行技術文献】
【特許文献】
【０００４】
【特許文献１】独国特許第１９９１６１８６号明細書
【発明の概要】
【発明が解決しようとする課題】
【０００５】
本発明の課題は、冒頭に挙げられた種類の暖房装置において、暖房器の個々の消費量を、容易に思いつくようにそれぞれ１つのガスメーターないしオイルメーターを各暖房器に配置することなく、特定できるようにすることである。
【課題を解決するための手段】
【０００６】
この課題は、請求項１に記載された特徴によって特徴付けられた、冒頭に挙げられた暖房装置によって具体的に解決される。方法に関しては、請求項４に記載された特徴によってこの課題が解決される。当然ながらこの暖房装置は２つを超える暖房器を含んでいてよい。
【０００７】
本発明に従い、少なくとも１つの、時間に基づく制御ユニットの手順パラメーターが、第一のおよび／または第二の暖房器の燃料消費値を特定するための計算根拠として備えられまたは使用される。
【０００８】
すなわち、暖房器の消費量（ガスまたはオイル）は本発明に従いそれぞれ制御ユニット内にある手順パラメーターをベースに算出される。これに関しては以下にさらに詳しく記述する。冒頭で説明したように、このようにすれば第二の、高価な燃料メーターを使用せずにすむ。
【０００９】
特に好ましくは１つの暖房器がいわゆるＣＨＰ暖房器として、つまりコージェネレーションシステムを備えた暖房器として企図され、および他の暖房器が市販品の暖房ボイラーとして、特にピークロードボイラーとして形成される。本発明による解決法はこの種の暖房装置においてＣＨＰ暖房器によって消費した燃料割合を別途計算することを可能にし、これによって特に、考えられる租税還付請求に非常に有利である。
【００１０】
他の有利な発展形態は、従属請求項に開示される。
【００１１】
完全性を確保するために、特許文献１を参照する。これにより暖房装置が公知であり、これは流体燃料を使用して動作可能であり、１つの制御ユニットを含み、この制御ユニットには時間に基づく手順パラメーターが暖房器の燃料消費量を特定するための計算根拠として備えられている。
【００１２】
本発明による暖房装置ないし本発明による方法は従属請求項に従ったその有利な発展形態も含んでおり、以下に図面に示した実施例を使用して詳しく説明する。
【図面の簡単な説明】
【００１３】
【図１】本発明による、２つの暖房器を備えた暖房装置の模式図である。
【図２】手順パラメーターの時間経過を表す線図である。
【発明を実施するための形態】
【００１４】
図１に示された暖房装置は、第一のおよび第二の暖房器１、２、および共通の、暖房器１、２の相互作用を制御する制御ユニット３から構成されている。暖房器１はその際いわゆるＣＨＰ暖房器として、特にスターリングエンジンとして形成される。この暖房器１はベース負荷を充足するために使用され、熱（符号４で示される）も電流（符号５で示される）も発生させる。別の暖房器２は、普通の暖房ボイラーから形成され、熱ピーク負荷を充足するために使用される（やはり符号４で示される）。２つの暖房器１、２は、同じ流体燃料、特にガスで動作され、符号６が燃料供給を示している。
【００１５】
本発明による暖房装置にとって重要なことは、制御ユニット３の、少なくとも１つの、時間に基づく手順パラメーター（これは所望される場合または好都合な場合は複数でも可）が、第一のおよび／または第二の暖房器１、２の燃料消費値を特定するための計算根拠として備えられるかまたは使用される。
【００１６】
これは、好ましくは、手順パラメーターが時間の経過で積分され、およびここから、燃料消費値の所定の相関関係を使用して特定されることにより行われる。所定の相関関係は、ここでは特にデータセットないしデータ曲線の形で制御ユニット３内に記憶され、各手順パラメーター整数値には燃料消費値が割り当てられている。
【００１７】
いわゆる手順パラメーターに関して、本発明による解決法に従い、ＣＨＰ暖房器として形成された暖房器１が発生させた電力が使用される。ＣＨＰ暖房器の効率性を考慮して、ある時間間隔で発生される電力をベースに、燃料消費量を割り出すことができる。
【００１８】
本発明の別の一解決法に従い、手順パラメーターとして、２つの暖房器１、２のうちの少なくとも１つに配置されているバーナーブロワの回転数が使用され、これは選択肢として含まれており、暖房器１、２の複数のブロワの回転数を考慮に入れることもできる。回転数から、ある時間間隔内に給送されたエア量およびそれによって最終的にいわゆる空気比からも消費された燃料量を計算することができる。
【００１９】
さらに本発明の別の一解決法に従い、手順パラメーターとして、２つの暖房器１、２のうちの１つで測定された温度が使用される。なぜならこれ（消費されたエネルギー量のための、知られた、所与の相関関係）からも燃料消費量が割り出せるからである。
【００２０】
さらに、手順パラメーターとして例えばガス量調整機構のための制御値（例えばガスバルブの調整電流、電圧または電力消費量）またはエアディフレクター換気モーターないしスロットルバルブ位置用ポジショニングモーターのステッピング位置も考慮される。
【００２１】
図２には、手順パラメーターＶ（ｔ）の時間ｔの経過に伴う推移が示されている。この手順パラメーターを例えば時間境界ｔｉとｔ２の間で積分すると、そこから特定のスカラー値がもたらされる。これに加えて、言及した、あらかじめ定めてメモリーした燃料消費値の相関関係がこの時間内について計算される。
【００２２】
どの手順パラメーターが使用されるかに合わせて、１つの、別の方のまたは両方の暖房器１、２の消費量が計算でき、その際あるいは必要に応じて全体消費量もまた対応する、ガス供給管（符号６参照）に配置されているメーターを介して考慮される。重要なことは、手順パラメーターを使った本発明による解決法のおかげで、別のメーター個々の暖房器１、２に独立したメーターを付けないで済むことである。
【符号の説明】
【００２３】
１  第一の暖房器
２  第二の暖房器
３  制御ユニット
４  熱
５  電流
６  ガス
【図１】
2013511018.tif 000003
【図２】
2013511018.tif 000004
【国際調査報告】
2013511018.tif 000005
2013511018.tif 000006
2013511018.tif 000007
2013511018.tif 000008